(57)【要約】【課題】湾曲したフレームの狭額縁化を図ること。【解決手段】実施形態の面状照明装置は、断面視において湾曲している底面と、かかる底面の周囲を囲むように立設された側壁とを有するフレームと、フレームに収納されるとともに断面視において底面に沿って湾曲し、光を出射する出射面を有する導光板と、導光板の出射面に沿って配置され、平面視において互いに重なっている複数の光学シートとを備える。複数の光学シートのうち少なくとも一の光学シートの端部は、固定部材を介してフレームにおける側壁の上端面に固定される。【選択図】図２
2018137156.tif 000002
【特許請求の範囲】
【請求項１】
断面視において湾曲している底面と、該底面の周囲を囲むように立設された側壁とを有するフレームと、
前記フレームに収納されるとともに前記断面視において前記底面に沿って湾曲し、光を出射する出射面を有する導光板と、
前記導光板の前記出射面に沿って配置され、平面視において互いに重なっている複数の光学シートと
を備え、
前記複数の光学シートのうち少なくとも一の光学シートの端部は、
固定部材を介して前記フレームにおける前記側壁の上端面に固定される、面状照明装置。
【請求項２】
前記一の光学シートは、
前記出射面から最も離れた光学シートである、請求項１に記載の面状照明装置。
【請求項３】
前記最も離れた光学シート以外の光学シートの端部は、
前記側壁の内周側に形成された切欠き部に配置される、請求項２に記載の面状照明装置。
【請求項４】
前記フレームは、
前記側壁の上端面から下端面までの厚みが、前記導光板の厚みよりも薄く、
前記一の光学シートは、
前記出射面から最も近い光学シートである、請求項１に記載の面状照明装置。
【請求項５】
前記最も近い光学シート以外の光学シートの端部は、
前記最も近い光学シートの端部を介して固定部材により前記フレームに固定される、請求項４に記載の面状照明装置。
【請求項６】
前記固定部材は、
平面視において重ならない位置にそれぞれ配置される、請求項５に記載の面状照明装置。
【請求項７】
前記最も近い光学シート以外の光学シートは、
前記端部におけるそれぞれ異なる位置に、前記光学シートに対して水平方向に延びる凸部を有し、該凸部が前記最も近い光学シートに固定部材によって固定される、請求項４に記載の面状照明装置。
【請求項８】
前記フレームは、
前記側壁の上端面が前記導光板の前記出射面から離れる方向へ向けて傾斜するテーパ面を有し、
前記一の光学シートは、
前記出射面から最も近い光学シートであり、該光学シートの端部が前記テーパ面に固定される、請求項１に記載の面状照明装置。
【請求項９】
前記最も近い光学シート以外の光学シートの端部は、
前記最も近い光学シートの端部を介して固定部材により前記フレームに固定される、請求項８に記載の面状照明装置。
【請求項１０】
前記一の光学シートは、
前記出射面から最も離れた光学シートであり、
前記最も離れた光学シート以外の光学シートは、
前記端部におけるそれぞれ重なる位置に、前記光学シートに対して水平方向に延びる凸部を有し、
前記凸部は、
固定部材を介して、前記側壁の上端面側における前記凸部に対応する位置に形成された切欠き部の上面に固定される、請求項１に記載の面状照明装置。
【請求項１１】
前記出射面の有効領域を規定する遮光シート
を備え、
前記遮光シートは、
少なくとも前記フレームに固定される前記端部を覆うように配置される、請求項１〜１０のいずれか１つに記載の面状照明装置。
【請求項１２】
前記固定部材は、
両面テープまたは接着剤である、請求項１〜１１のいずれか１つに記載の面状照明装置。
【発明の詳細な説明】
【技術分野】
【０００１】
本発明は、面状照明装置に関する。
【背景技術】
【０００２】
従来、導光板および導光板上に配置される光学シートを、湾曲した状態で収納するフレームを備えた面状照明装置が知られている。かかる面状照明装置では、湾曲したフレームに支持部や凹部を設け、フレームに設けられた凹部に光学シートに設けられた凸部を係合させるとともに、支持部に光学シートの縁を支持させることで、光学シートをフレームに固定している（例えば、特許文献１参照）。
【先行技術文献】
【特許文献】
【０００３】
【特許文献１】特開２０１０−１４０８３１号公報
【発明の概要】
【発明が解決しようとする課題】
【０００４】
しかしながら、上記した従来技術に係る面状照明装置では、湾曲したフレームに光学シートを固定するための支持部や凹部を設ける必要があるため、湾曲したフレームの狭額縁化の要請に応じることが困難であるという問題があった。
【０００５】
本発明は、上記に鑑みてなされたものであって、湾曲したフレームの狭額縁化を図ることができる面状照明装置を提供することを目的とする。
【課題を解決するための手段】
【０００６】
上述した課題を解決し、目的を達成するために、本発明の一態様に係る面状照明装置は、断面視において湾曲している底面と、かかる底面の周囲を囲むように立設された側壁とを有するフレームと、フレームに収納されるとともに断面視において底面に沿って湾曲し、光を出射する出射面を有する導光板と、導光板の出射面に沿って配置され、平面視において互いに重なっている複数の光学シートとを備える。複数の光学シートのうち少なくとも一の光学シートの端部は、固定部材を介してフレームにおける側壁の上端面に固定される。
【発明の効果】
【０００７】
本発明の一態様によれば、湾曲したフレームの狭額縁化を図ることができる。
【図面の簡単な説明】
【０００８】
【図１】図１は、実施形態に係る面状照明装置の外観の一例を示す平面図である。
【図２】図２は、図１のＡ−Ａ線断面模式図である。
【図３】図３は、図２のフレームにおける一方の側壁を示す断面模式図である。
【図４】図４は、フレームにおける固定部材の設置位置を示す説明図である。
【図５】図５は、変形例に係る第３遮光シートを示す説明図である。
【図６】図６は、フレームにおける固定部材の他の設置位置を示す説明図である。
【図７】図７は、変形例１に係る面状照明装置の断面模式図である。
【図８】図８は、変形例１に係る固定部材の配置位置の例を示す説明図である。
【図９】図９は、変形例１に係る他の形態を説明する説明図である。
【図１０】図１０は、変形例２に係る面状照明装置の断面模式図である。
【図１１】図１１は、変形例３に係る面状照明装置の外観の一例を示す平面図である。
【図１２】図１２は、変形例３に係る光学シートの配置関係を示す説明図である。
【図１３Ａ】図１３Ａは、図１１のＢ−Ｂ線断面模式図である。
【図１３Ｂ】図１３Ｂは、図１１のＣ−Ｃ線断面模式図である。
【図１３Ｃ】図１３Ｃは、図１１のＤ−Ｄ線断面模式図である。
【発明を実施するための形態】
【０００９】
以下、実施形態に係る面状照明装置について図面を参照して説明する。なお、以下に示す実施形態によりこの発明が限定されるものではない。また、図面における各要素の寸法の関係、各要素の比率等は、実際と異なる場合がある。また、図面相互間においても、互いの寸法の関係や比率が異なる部分が含まれている場合がある。
【００１０】
まず、図１および図２を用いて、実施形態に係る面状照明装置１の構成例について説明する。以下に説明する面状照明装置１は、光が出射する側の面が平面ではなく曲面となっている。図１は、実施形態に係る面状照明装置の外観の一例を示す平面図である。図２は、図１のＡ−Ａ線断面模式図である。
【００１１】
なお、図１および図２には、説明を分かりやすくするために、面状照明装置１の光が出射する側の面を正方向とするＺ軸、面状照明装置１の長辺方向をＸ軸、面状照明装置１の短辺方向をＹ軸、を含む３次元の直交座標系を図示している。かかる直交座標系は、以下の説明で用いる他の図面においても示す場合がある。
【００１２】
図１に示すように、実施形態に係る面状照明装置１は、導光板４の出射面４ａ（図２参照）において、第１遮光シート２０、第２遮光シート２１、および第３遮光シート２２ａ，２２ｂで覆われていない領域である有効領域３０からＬＥＤ（Light  Emitting  Diode）２の光を出射する。
【００１３】
すなわち、面状照明装置１は、第１遮光シート２０、第２遮光シート２１、および第３遮光シート２２ａ，２２ｂによって導光板４の出射面４ａ（図２参照）の有効領域３０が規定されている。なお、この例では、第１遮光シート２０、第２遮光シート２１、および第３遮光シート２２ａ，２２ｂは、別々に形成されているが、一体的に形成して、有効領域３０を規定してもよい。
【００１４】
ＬＥＤ２は、点状の光源であり、例えば、青色ＬＥＤと黄色蛍光体とを含む疑似白色ＬＥＤである。かかるＬＥＤ２は、面状照明装置１の短辺方向（Ｙ軸方向）に沿って均等な間隔で複数配置される（図１参照）。複数のＬＥＤ２は、導光板４と対向する側に発光面を有し、発光面から導光板４の入光側面へ向けて光を発する。また、導光板４は、入光側面に入射された光を導光する。なお、ＬＥＤ２は、フレーム１０の底部１３（図２参照）の面に配置されるＬＥＤ２を実装するＦＰＣ（Flexible  Printed  Circuit）がＬＥＤ２の発光面と直交するサイドビュー型であることが好ましい。
【００１５】
面状照明装置１は、例えば、液晶表示装置のバックライトとして用いられる。そして、液晶表示装置は、例えば、スマートフォンやタブレット等の情報携帯端末において用いられる。
【００１６】
また、図１に示すように、第１遮光シート２０はＬＥＤ２が配置される側を覆い、第２遮光シート２１はＬＥＤ２が配置される側とは反対側を覆う。かかる第１遮光シート２０は、ＬＥＤ２を覆うために第２遮光シート２１よりも長辺方向（Ｘ軸方向）におけるシートの幅が広くなっている。なお、第３遮光シート２２ａ，２２ｂの詳細については後述する。
【００１７】
図２に示すように、面状照明装置１は、フレーム１０と、導光板４と、反射シート４０と、下拡散シート５ａと、プリズムシート５ｂと、上拡散シート５ｃと、第３遮光シート２２ａ，２２ｂとを備える。
【００１８】
フレーム１０は、Ａ−Ａ線の断面視においてＺ軸正方向側に凸状に緩やかに湾曲している。具体的には、Ａ−Ａ線の断面視において、フレーム１０の中央部は平たんであるが、フレーム１０の両端は、導光板４から離れる方向に緩やかに傾斜している。かかるフレーム１０は、容器本体１１と枠部材１２とを備える。
【００１９】
容器本体１１は、剛性が大きい、例えば、ステンレス製の板金により形成される。かかる容器本体１１は、底部１３と側壁１３ａとを備える。
【００２０】
底部１３は、Ａ−Ａ線の断面視において両端が導光板４から離れる方向に穏やかに傾斜する底面１３ｂを有する。側壁１３ａは、底面１３ｂの周囲を囲むように光が出射する方向側に立設される。
【００２１】
枠部材１２は、例えば、樹脂により形成される。かかる枠部材１２は、容器本体１１におけるＬＥＤ２と対向する内側面以外の内側面に沿って設けられる。また、枠部材１２は、内周側の光が出射する方向側の上部に切欠き部１５が形成される。これにより、枠部材１２に上端面１２−１が形成される。
【００２２】
なお、この例では、フレーム１０は、容器本体１１と枠部材１２とにより形成されているが、容器本体１１のみで形成してもよい。かかる場合、容器本体１１は、例えば、枠部材１２と一体化された形状に形成され、側壁１３ａにおける内周側の光が出射する方向側の上部に切欠き部１５が形成される。
【００２３】
上記したフレーム１０は、ＬＥＤ２と、導光板４と、反射シート４０と、下拡散シート５ａと、プリズムシート５ｂと、上拡散シート５ｃとを収納する。
【００２４】
導光板４は、Ａ−Ａ線の断面視において容器本体１１の底面１３ｂに沿って湾曲している。かかる導光板４は、ＬＥＤ２からの光を導いて面状に発光させるものであり、例えば、ポリカーボネート樹脂やアクリル樹脂等の透光性材料を含む可撓性の部材で形成される。
【００２５】
上記した導光板４は、光が出射する方向において対向する一対の主面４ａ，４ｂと、ＬＥＤ２の発光面と対向する入光側面（図示せず）と、入光側面とは反対側の側面である反対側面（図示せず）とを備える。
【００２６】
また、２つの主面４ａ，４ｂのうち光が出射する方向側にある一方の主面４ａは、入光側面から入射された光（ＬＥＤ２が発した光）が出射される出射面（発光面）である。また、光が出射する方向側とは反対側にある他方の主面４ｂは、導光板４内に入射された光が反射される反射面である。
【００２７】
つまり、他方の主面４ｂには、例えば、複数のドットからなる光路変更パターンが形成されており、かかる光路変更パターンによって導光板４内を進む光の進行方向が変更されて、一方の主面４ａから光が出射される。なお、以下の説明では、「一方の主面４ａ」を「出射面４ａ」と記載し、「他方の主面４ｂ」を「反射面４ｂ」と記載する。
【００２８】
反射シート４０は、導光板４の反射面４ｂに沿って配置され、導光板４の反射面４ｂから漏れた光を反射して、再度導光板４に戻す。かかる反射シート４０は、図示しない両面テープによって容器本体１１の底面１３ｂに固定される。
【００２９】
ここで、従来の面状照明装置について説明する。従来の面状照明装置では、湾曲したフレームに支持部や凹部を設け、フレームに設けられた凹部に光学シートに設けられた凸部を係合させるとともに、支持部に光学シートの縁を支持させることで、光学シートをフレームに固定していた。
【００３０】
しかし、従来の面状照明装置では、湾曲したフレームに光学シートを固定する支持部や凹部を設ける必要があるため、湾曲したフレームの狭額縁化の要請に応じることが困難であった。
【００３１】
そこで、実施形態に係る面状照明装置では、平面視において互いに重なっている複数の光学シートのうち少なくとも一の光学シートにおける一対の端部を、固定部材を介して湾曲したフレームにおける側壁の上端面にそれぞれ固定できるようにした。
【００３２】
これにより、実施形態に係る面状照明装置は、湾曲したフレームの狭額縁化を図ることができる。
【００３３】
引き続き、図２および図３を用いて、実施形態に係る面状照明装置１における湾曲したフレーム１０への複数の光学シート５の固定について具体的に説明する。図３は、図２のフレーム１０における一方の側壁１３ａを示す断面模式図である。なお、図３は、説明に必要な部分以外の部分を省略している。
【００３４】
図２および図３に示すように、実施形態に係る面状照明装置１は、導光板４の出射面４ａ側に複数の光学シート５、この例では、３つの光学シート５ａ，５ｂ，５ｃを備える。３つの光学シート５ａ，５ｂ，５ｃは、この例では、下拡散シート５ａ、プリズムシート５ｂ、および上拡散シート５ｃである。
【００３５】
下拡散シート５ａ、プリズムシート５ｂ、および上拡散シート５ｃは、平らなシートであり、平面視において互いに重なった状態で導光板４の湾曲した出射面４ａに沿って配置される。この例では、下拡散シート５ａの端部５ａ−１およびプリズムシート５ｂの端部５ｂ−１が導光板４に沿うように曲げられ、かかる端部５ａ−１，５ｂ−１の先端は枠部材１２の切欠き部１５に配置される。また、上拡散シート５ｃの端部５ｃ−１も導光板４に沿うように曲げられ、かかる端部５ｃ−１は枠部材１２の上端面１２−１および側壁１３ａの上端面１３ｂ−１に固定される。
【００３６】
なお、図３では、下拡散シート５ａ、プリズムシート５ｂ、および上拡散シート５ｃの片側の端部５ａ−１，５ｂ−１，５ｃ−１について示しているが、下拡散シート５ａ、プリズムシート５ｂ、および上拡散シート５ｃの両端の構成は同じであるため、以下では、片側の端部５ａ−１，５ｂ−１，５ｃ−１について説明する。
【００３７】
下拡散シート５ａは、導光板４の湾曲した出射面４ａを覆う。また、下拡散シート５ａの端部５ａ−１は、切欠き部１５に配置される。かかる下拡散シート５ａは、導光板４の出射面４ａから出射される光を拡散する。
【００３８】
プリズムシート５ｂは、下拡散シート５ａにおける出射面４ａとは反対側の湾曲した面を覆う。また、プリズムシート５ｂの端部５ｂ−１は、切欠き部１５に配置される。
【００３９】
かかるプリズムシート５ｂは、この例では、下プリズムシートと上プリズムシートとを出射面４ａ側からこの順に積層した光学シートである。下プリズムシートは、例えば、Ｘ軸方向に向かう光をＺ軸方向に集める。上プリズムシートは、例えば、Ｙ軸方向に向かう光をＺ軸方向に集める。
【００４０】
上拡散シート５ｃは、プリズムシート５ｂにおける出射面４ａとは反対側の湾曲した面を覆う。また、上拡散シート５ｃの端部５ｃ−１は、固定部材６ｂを介して枠部材１２の上端面１２−１および側壁１３ａの上端面１３ｂ−１に固定される。かかる上拡散シート５ｃは、プリズムシート５ｂにおける出射面４ａとは反対側の面から出射される集光した光を再度拡散する。
【００４１】
次に、図４を用いて、枠部材１２の上端面１２−１および側壁１３ａの上端面１３ｂ−１に上拡散シート５ｃを固定する固定部材６ａ，６ｂの設置位置についてより具体的に説明する。図４は、フレーム１０における固体部材６ａ，６ｂの設置位置を示す説明図である。
【００４２】
図４に示すように、固定部材６ａ，６ｂは、第３遮光シート２２ａ，２２ｂで覆われる枠部材１２の上端面１２−１および側壁１３ａの上端面１３ｂ−１にそれぞれ配置される。なお、固定部材６ａ，６ｂとしては、例えば、両面テープまたは接着剤等が挙げられる。
【００４３】
固定部材６ａは、上拡散シート５ｃの一方の端部５ｃ−１と枠部材１２の上端面１２−１および側壁１３ａの上端面１３ｂ−１とを固定する。具体的には、固定部材６ａは、上拡散シート５ｃの一方の端部５ｃ−１のうち導光板４の出射面４ａと対向する面と、枠部材１２の上端面１２−１および側壁１３ａの上端面１３ｂ−１とを固定する。
【００４４】
固定部材６ｂは、上拡散シート５ｃの他方の端部５ｃ−１と枠部材１２の上端面１２−１および側壁１３ａの上端面１３ｂ−１とを固定する。具体的には、固定部材６ｂは、上拡散シート５ｃの他方の端部５ｃ−１のうち導光板４の出射面４ａと対向する面と、枠部材１２の上端面１２−１および側壁１３ａの上端面１３ｂ−１とを固定する。
【００４５】
かかる固定部材６ａ，６ｂは、出射面４ａから最も離れた上拡散シート５ｃを上記のようにしてフレーム１０に固定することで、下拡散シート５ａおよびプリズムシート５ｂが元の形状に戻ろうとする反力を上拡散シート５ｃによって抑制することができる。
【００４６】
また、本実施形態に係る面状照明装置１は、第３遮光シート２２ａ，２２ｂがフレーム１０に固定される上拡散シート５ｃの端部５ｃ−１を覆うように配置される（図２および図３参照）。
【００４７】
上記した第３遮光シート２２ａ，２２ｂは、例えば、両面に粘着面を有する両面テープであり、上拡散シート５ｃと液晶表示装置とを固定する。
【００４８】
かかる第３遮光シート２２ａ，２２ｂは、枠部材１２の切欠き部１５から漏れた光が出射面４ａから出射されることを防止することができる。
【００４９】
上述したように、実施形態に係る面状照明装置１では、出射面４ａから最も離れた上拡散シート５ｃの端部５ｃ−１が固定部材６ａ，６ｂを介して枠部材１２の上端面１２−１および側壁１３ａの上端面１３ｂ−１にそれぞれ固定される。
【００５０】
また、下拡散シート５ａの端部５ａ−１およびプリズムシート５ｂの端部５ｂ−１は、上拡散シート５ｃから抑えられた状態で、枠部材１２の内周側の上部に形成された切欠き部１５にそれぞれ配置される。
【００５１】
このため、実施形態に係る面状照明装置１では、湾曲したフレーム１０への複数の光学シート５の固定は、枠部材１２の上端面１２−１および側壁１３ａの上端面１３ｂ−１に配置される固定部材６ａ，６ｂによって可能となる。
【００５２】
つまり、実施形態に係る面状照明装置１では、固定部材６ａ，６ｂが枠部材１２の上端面１２−１および側壁１３ａの上端面１３ｂ−１に直接接着されているので、出射面４ａから最も離れた上拡散シート５ｃの端部５ｃ−１が強固に固定される。
【００５３】
そして、上拡散シート５ｃが上記のようにしてフレーム１０に固定されることで、下拡散シート５ａおよびプリズムシート５ｂが抑え込まれて、フレーム１０に固定されることになる。
【００５４】
これにより、実施形態に係る面状照明装置１では、複数の光学シート５ａ，５ｂ，５ｃのフレーム１０への強固な固定を可能としつつ、湾曲したフレーム１０の狭額縁化を図ることができる。
【００５５】
また、実施形態に係る面状照明装置１では、下拡散シート５ａの第３遮光シート２２ｂで覆われる側壁１３ａに位置する端部５ａ−１と、プリズムシート５ｂの第３遮光シート２２ｂで覆われる側壁１３ａに位置する端部５ｂ−１とが、切欠き部１５に配置される。
【００５６】
これにより、実施形態に係る面状照明装置１では、プリズムシート５ｂの面と固定部材６ａ，６ｂの面とが面一となり、上拡散シート５ｃを容易に固定部材６ａ，６ｂに貼り付けることができる。
【００５７】
つまり、実施形態に係る面状照明装置１では、湾曲したフレーム１０への複数の光学シート５の固定が容易であり、装置の生産性が向上する。
【００５８】
また、実施形態に係る面状照明装置１では、湾曲したフレーム１０が容器本体１１と枠部材１２もしくは容器本体１１のみで形成されることから、容器本体１１および枠部材１２の加工が容易であるため、湾曲したフレーム１０の薄型化を図ることができる。
【００５９】
なお、上述の実施形態では、第３遮光シート２２ａ，２２ｂがフレーム１０に固定される上拡散シート５ｃの端部５ｃ−１を覆っているが、併せて容器本体１１の側壁１３ａの外側面を第３遮光シート２２ａ（２２ｂ）で覆ってもよい。
【００６０】
かかる形態について、図５を用いて説明する。図５は、変形例に係る第３遮光シート２２ａ−１，２２ｂ−１を示す説明図である。なお、図３に示す構成要素と同様の機能を有する構成要素については、図３に示す符号と同一の符号を付すことによりその説明を省略する。また、図５は、第３遮光シート２２ａ−１，２２ｂ−１のうち一方の第３遮光シート２２ｂ−１を示している。
【００６１】
図５に示すように、第３遮光シート２２ｂ−１は、フレーム１０に固定される上拡散シート５ｃの端部５ｃ−１と側壁１３ａの外側面とを覆うように配置される。
【００６２】
これにより、かかる第３遮光シート２２ｂ−１は、枠部材１２の切欠き部１５から漏れた光が出射面４ａから出射されることをより確実に防止することができる。
【００６３】
また、固定部材６ａ，６ｂに加えて、枠部材１２の上端面１２−１および側壁１３ａの上端面１３ｂ−１に上拡散シート５ｃを固定する新たな固定部材を設けてもよい。かかる場合について、図６を用いて説明する。図６は、フレーム１０における固定部材６１ａ，６１ｂの他の設置位置を示す説明図である。
【００６４】
かかる固定部材６１ａ，６１ｂは、例えば、両面テープまたは接着剤等であり、第２遮光シート２１で覆われる枠部材１２の上端面１２−１および側壁１３ａの上端面１３ｂ−１の両端部にそれぞれ配置される。
【００６５】
かかる固定部材６１ａ，６１ｂは、上拡散シート５ｃにおける第２遮光シート２１で覆われる二つの角部をフレーム１０に固定することで、上拡散シート５ｃのフレーム１０からの剥がれや浮きを防止することができる。
【００６６】
なお、実施形態に係る面状照明装置１では、上拡散シート５ｃの一対の端部５ｃ−１が固定部材６ａ，６ｂを介して枠部材１２の上端面１２−１および側壁１３ａの上端面１３ｂ−１にそれぞれ固定されるが、この形態に限られない。
【００６７】
他の形態として、片側の端部５ｃ−１のみが固定部材を介して枠部材１２の上端面１２−１および側壁１３ａの上端面１３ｂ−１に固定されるように構成してよい。かかる場合、下拡散シート５ａおよびプリズムシート５ｂにおいても、片側の端部５ａ−１，５ｂ−１のみが切欠き部１５に配置される構成となる。
【００６８】
次に、図７を用いて、第１変形例に係る面状照明装置１ａについて説明する。かかる面状照明装置１ａでは、フレーム１０ａにおいて枠部材１２ａおよび側壁１３ａ−１の上端面１３ｂ−２から下端面１３ｃ−２までの厚さｄ１が導光板４の厚さｄ２よりも薄く、出射面４ａから最も近い下拡散シート５ａがフレーム１０ａに固定される。
【００６９】
図７は、第１変形例に係る面状照明装置１ａを説明する説明図である。なお、図３に示す構成要素と同様の機能を有する構成要素については、図３に示す符号と同一の符号を付すことにより、その説明を省略する。
【００７０】
また、図７は、フレーム１０ａの容器本体１１ａにおける一対の側壁１３ａ−１において、一方の側壁１３ａ−１側を示しているが、他方の側壁１３ａ−１側においても一方の側壁１３ａ−１側の構成と同様の構成にある。なお、容器本体１１ａの内周面には、枠部材１２ａが設けられている。
【００７１】
また、図７では、下拡散シート５ａ、プリズムシート５ｂ、および上拡散シート５ｃの片側の端部５ａ−１，５ｂ−１，５ｃ−１について示しているが、下拡散シート５ａ、プリズムシート５ｂ、および上拡散シート５ｃの両端の構成は同じであるため、以下では、片側の端部５ａ−１，５ｂ−１，５ｃ−１について説明する。
【００７２】
図７に示すように、第１変形例に係る面状照明装置１ａでは、フレーム１０ａにおいて枠部材１２ａおよび側壁１３ａ−１の上端面１３ｂ−２から下端面１３ｃ−２までの厚さｄ１を、導光板４の厚さｄ２よりも薄くしている。そして、下拡散シート５ａの側壁１３ａ−１に位置する端部５ａ−１が、固定部材６ｂ−１を介して上記した枠部材１２ａおよび側壁１３ａ−１の上端面１３ｂ−２に固定される。
【００７３】
また、プリズムシート５ｂおよび上拡散シート５ｃの側壁１３ａ−１に位置する端部５ｂ−１，５ｃ−１は、下拡散シート５ａの側壁１３ａ−１に位置する端部５ａ−１とそれぞれ重なっている。そして、かかる端部５ａ−１，５ｂ−１，５ｃ−１は、下拡散シート５ａの側壁１３ａ−１に位置する端部５ａ−１を介して固定部材６ｂ−２，６ｂ−３により枠部材１２ａおよび側壁１３ａ−１の上端面１３ｂ−２に固定される。
【００７４】
上述したように、変形例１に係る面状照明装置１ａでは、複数の光学シート５のうち出射面４ａから最も近い下拡散シート５ａの端部５ａ−１が固定部材６ｂ−１を介して枠部材１２ａおよび側壁１３ａ−１の上端面１３ｂ−２に固定される。
【００７５】
また、プリズムシート５ｂおよび上拡散シート５ｃの端部５ｂ−１，５ｃ−１は、下拡散シート５ａの端部５ａ−１を介して固定部材６ｂ−２，６ｂ−３により枠部材１２ａおよび側壁１３ａ−１の上端面１３ｂ−２に固定される。
【００７６】
このため、変形例１に係る面状照明装置１ａでは、湾曲したフレーム１０ａへの複数の光学シート５の固定は、固定部材６ｂ−１，６ｂ−２，６ｂ−３によって可能となる。
【００７７】
つまり、変形例１に係る面状照明装置１ａでは、固定部材６ｂ−１が枠部材１２ａおよび側壁１３ａの上端面１３ｂ−２に直接接着されているので、出射面４ａから最も近い下拡散シート５ａの端部５ａ−１が強固に固定される。
【００７８】
そして、プリズムシート５ｂおよび上拡散シート５ｃの端部５ｂ−１，５ｃ−１が、下拡散シート５ａの端部５ａ−１を介して固定部材６ｂ−２，６ｂ−３により枠部材１２ａおよび側壁１３ａ−１の上端面１３ｂ−２に強固に固定される。
【００７９】
これにより、変形例１に係る面状照明装置１ａでは、複数の光学シート５ａ，５ｂ，５ｃのフレーム１０ａへの強固な固定を可能としつつ、湾曲したフレーム１０ａの狭額縁化を図ることができる。
【００８０】
また、変形例１に係る面状照明装置１ａでは、フレーム１０ａにおいて枠部材１２ａおよび側壁１３ａ−１の上端面１３ｂ−２から下端面１３ｃ−２までの厚さｄ１を、導光板４の厚さｄ２よりも薄くしている。これにより、変形例１に係る面状照明装置１ａでは、薄型化を図ることができる。
【００８１】
また、変形例１に係る面状照明装置１ａでは、上拡散シート５ｃの端部５ｃ−１を容易にプリズムシート５ｂの端部５ｂ−１に固定することができる。
【００８２】
つまり、変形例１に係る面状照明装置１ａでは、湾曲したフレーム１０ａへの複数の光学シート５ａ，５ｂ，５ｃの固定が容易であり、装置の生産性が向上する。
【００８３】
なお、変形例１に係る面状照明装置１ａでは、下拡散シート５ａの一対の端部５ａ−１が固定部材６ｂ−１を介して枠部材１２ａおよび側壁１３ａ−１の上端面１３ｂ−２にそれぞれ固定されるが、この形態に限られない。
【００８４】
他の形態として、片側の端部５ａ−１のみが固定部材を介して枠部材１２ａおよび側壁１３ａ−１の上端面１３ｂ−２に固定されるように構成してよい。かかる場合、プリズムシート５ｂおよび上拡散シート５ｃにおいても、片側の端部５ｂ−１，５ｃ−１のみが上記した下拡散シート５ａの片側の端部５ａ−１とそれぞれ重なる構成となる。
【００８５】
また、上述した第１変形例に係る面状照明装置１ａでは、複数の光学シート５ａ，５ｂ，５ｃの端部５ａ−１，５ｂ−１，５ｃ−１において当接面同士を固定する固定部材６ｂ−２，６ｂ−３が、一方の端部から他方の端部に亘ってそれぞれ配置されているが、これに限られない。
【００８６】
図８を用いて、平面視において互いに重なっている複数の光学シート５ａ，５ｂ，５ｃの端部５ａ−１，５ｂ−１，５ｃ−１において当接面同士を固定する固定部材６ｂ−２，６ｂ−３の配置位置について説明する。
【００８７】
図８は、変形例１に係る固定部材６ｂ−２，６ｂ−３の配置位置の例を示す説明図である。なお、図８は、フレーム１０ａの容器本体１１ａにおける一対の側壁１３ａ−１において、一方の側壁１３ａ−１側に配置される固定部材６ｂ−２，６ｂ−３を示しているが、他方の側壁１３ａ−１側においても一方の側壁１３ａ−１側と同様の配置関係にある。なお、図８において、説明の便宜上、側壁１３ａ−１は省略している。
【００８８】
また、図８では、下拡散シート５ａ、プリズムシート５ｂ、および上拡散シート５ｃの片側の端部５ａ−１，５ｂ−１，５ｃ−１について示しているが、下拡散シート５ａ、プリズムシート５ｂ、および上拡散シート５ｃの両端の構成は同じであるため、以下では、片側の端部５ａ−１，５ｂ−１，５ｃ−１について説明する。
【００８９】
図８に示すように、側壁１３ａ−１に位置する複数の光学シート５ａ，５ｂ，５ｃの端部５ａ−１，５ｂ−１，５ｃ−１において当接面同士を固定する固定部材６ｂ−２，６ｂ−３は、平面視において重ならない位置にそれぞれ配置される。
【００９０】
具体的には、この例では、固定部材６ｂ−２は下拡散シート５ａの端部５ａ−１の略中央部にそれぞれ配置される。固定部材６ｂ−３は、プリズムシート５ｂの端部５ｂ−１の角部にそれぞれ配置される。
【００９１】
かかる形態では、フレーム１０ａの縁部分において固定部材６ｂ−１，６ｂ−２，６ｂ−３を重ねることによって生じる厚みの増加を抑えることができる。
【００９２】
また、他の形態として、プリズムシート５ｂおよび上拡散シート５ｃの端部５ｂ−１，５ｃ−１におけるそれぞれ異なる位置に、プリズムシート５ｂおよび上拡散シート５ｃに対して水平方向に延びる凸部を形成してもよい。そして、かかる凸部を下拡散シート５ａに固定部材６ｂ−２によって固定してもよい。かかる形態について、図９を用いて説明する。
【００９３】
図９は、変形例１に係る他の形態を説明する説明図である。なお、図９は、プリズムシート５ｂおよび上拡散シート５ｃの一対の端部５ｂ−１，５ｃ−１において、一方の端部５ｂ−１，５ｃ−１に形成される凸部５ｂ−２，５ｃ−２を示している。なお、他方の端部５ｂ−１，５ｃ−１においても一方の端部５ｂ−１，５ｃ−１と同様に凸部５ｂ−２，５ｃ−２が形成される。また、図９において、説明の便宜上、側壁１３ａ−１は省略している。
【００９４】
また、図９では、下拡散シート５ａ、プリズムシート５ｂ、および上拡散シート５ｃの片側の端部５ａ−１，５ｂ−１，５ｃ−１について示しているが、下拡散シート５ａ、プリズムシート５ｂ、および上拡散シート５ｃの両端の構成は同じであるため、以下では、片側の端部５ａ−１，５ｂ−１，５ｃ−１について説明する。
【００９５】
図９に示すように、プリズムシート５ｂおよび上拡散シート５ｃの端部５ｂ−１，５ｃ−１におけるそれぞれ異なる位置に、プリズムシート５ｂおよび上拡散シート５ｃに対して水平方向に延びる凸部５ｂ−２，５ｃ−２が形成される。そして、かかる凸部５ｂ−２，５ｃ−２が下拡散シート５ａに固定部材６ｂ−２によって固定される。
【００９６】
具体的には、この例では、凸部５ｂ−２は、プリズムシート５ｂの端部５ｂ−１の角部にそれぞれ形成される。凸部５ｃ−２は、上拡散シート５ｃの端部５ｃ−１の略中央部に形成される。
【００９７】
かかる形態では、フレーム１０ａの縁部分においてプリズムシート５ｂの端部５ｂ−１と上拡散シート５ｃの端部５ｃ−１とを面一とすることができる。これにより、複数の光学シート５ａ，５ｂ，５ｃを重ねることによって生じる厚みの増加を抑えることができる。
【００９８】
次に、図１０を用いて、第２変形例に係る面状照明装置１ｂについて説明する。かかる面状照明装置１ｂでは、フレーム１０ｂの側壁１３ａ−２の上端面１６がテーパ面１０ｃを有し、下拡散シート５ａの一対の端部５ａ−１がテーパ面１０ｃに固定される。
【００９９】
図１０は、第２変形例に係る面状照明装置１ｂを説明する説明図である。なお、図３に示す構成要素と同様の機能を有する構成要素については、図３に示す符号と同一の符号を付すことにより、その説明を省略する。
【０１００】
また、図１０は、フレーム１０ｂにおける一対の側壁１３ａ−２において、一方の側壁１３ａ−２側を示しているが、他方の側壁１３ａ−２側においても一方の側壁１３ａ−２側の構成と同様の構成にある。なお、この例では、フレーム１０ｂは容器本体のみによって形成される。つまり、側壁１３ａ−２は容器本体の側壁に相当する。
【０１０１】
図１０に示すように、第２変形例に係る面状照明装置１ｂでは、フレーム１０ｂの側壁１３ａ−２は上端面１６を有する。かかる上端面１６は、受け面１３ｂ−３とテーパ面１０ｃとを有する。受け面１３ｂ−３は、導光板４の出射面４ａに沿って平らになるように形成された面である。テーパ面１０ｃは、受け面１３ｂ−３（導光板４の出射面４ａ）から離れる方向（側壁１３ａ−２の下端面１３ｃ−３の方向）へ向けて傾斜するように形成された面である。なお、図１０に示す例のように、テーパ面１０ｃは、導光板４から離れる方向へ向けて傾斜することが好ましい。すなわち、受け面１３ｂ−３とテーパ面１０ｃとのなす角Ｄは、鈍角であることが好ましい。
【０１０２】
また、プリズムシート５ｂおよび上拡散シート５ｃの端部５ｂ−１，５ｃ−１は、下拡散シート５ａの端部５ａ−１とそれぞれ重なっている。そして、かかる端部５ａ−１，５ｂ−１，５ｃ−１は、下拡散シート５ａの端部５ａ−１を介して固定部材６ｂ−２，６ｂ−３により上端面１６の一部であるテーパ面１０ｃに固定される。
【０１０３】
また、第２変形例に係る面状照明装置１ｂでは、第３遮光シート２２ｂ−２が側壁１３ａ−２の上端面１６を覆うように配置される。
【０１０４】
上述したように、変形例２に係る面状照明装置１ｂでは、複数の光学シート５ａ，５ｂ，５ｃのうち出射面４ａから最も近い下拡散シート５ａの端部５ａ−１が固定部材６ｂ−１を介してテーパ面１０ｃに固定される。
【０１０５】
また、プリズムシート５ｂおよび上拡散シート５ｃの端部５ｂ−１，５ｃ−１は、下拡散シート５ａの端部５ａ−１を介して固定部材６ｂ−２，６ｂ−３によりテーパ面１０ｃに固定される。
【０１０６】
このため、変形例２に係る面状照明装置１ｂでは、湾曲したフレーム１０ｂへの複数の光学シート５ａ，５ｂ，５ｃの固定は、固定部材６ｂ−１，６ｂ−２，６ｂ−３によって可能となる。
【０１０７】
つまり、変形例２に係る面状照明装置１ｂでは、固定部材６ｂ−１が、テーパ面１０ｃに直接接着されているので、出射面４ａから最も近い下拡散シート５ａの端部５ａ−１が強固に固定される。
【０１０８】
そして、プリズムシート５ｂおよび上拡散シート５ｃの端部５ｂ−１，５ｃ−１が、下拡散シート５ａの端部５ａ−１を介して固定部材６ｂ−２，６ｂ−３によりテーパ面１０ｃに強固に固定される。
【０１０９】
これにより、変形例２に係る面状照明装置１ｂでは、複数の光学シート５ａ，５ｂ，５ｃのフレーム１０ｂへの強固な固定を可能としつつ、湾曲したフレーム１０ｂの狭額縁化を図ることができる。
【０１１０】
また、変形例２に係る面状照明装置１ｂでは、フレーム１０ｂの側壁１３ａ−２の上端面１６がテーパ面１０ｃを有する。
【０１１１】
これにより、変形例２に係る面状照明装置１ｂでは、下拡散シート５ａの端部５ａ−１が導光板４の出射面４ａに沿って平らな受け面１３ｂ−３から曲がってテーパ面１０ｃに固定部材６ｂ−１を介して固定されることになる。これにより、下拡散シート５ａをフレーム１０ｂに強固に固定することができる。
【０１１２】
また、変形例２に係る面状照明装置１ｂでは、フレーム１０ｂの縁部分において下拡散シート５ａが剥がれるというおそれがない。このため、プリズムシート５ｂの端部５ｂ−１を容易に下拡散シート５ａの端部５ａ−１に固定することができる。
【０１１３】
つまり、変形例２に係る面状照明装置１ｂでは、湾曲したフレーム１０ｂへの複数の光学シート５ａ，５ｂ，５ｃの固定が容易であり、装置の生産性が向上する。
【０１１４】
また、変形例２に係る面状照明装置１ｂは、湾曲したフレーム１０ｂが容器本体のみで形成されることから、容器本体の加工が容易であるため、湾曲したフレーム１０ｂの薄型化を図ることができる。
【０１１５】
なお、変形例２に係る面状照明装置１ｂでは、フレーム１０ｂにおいてテーパ面１０ｃに固定部材６ｂ−１を設置しているが、併せて受け面１３ｂ−３に固定部材６ｂ−１を設置してもよい。
【０１１６】
かかる場合、受け面１３ｂ−３の高さは、固定部材６ｂ−１の厚さ分だけ低くすることが好ましい。
【０１１７】
また、変形例２に係る面状照明装置１ｂでは、下拡散シート５ａの端部５ａ−１が固定部材６ｂ−１を介してテーパ面１０ｃに固定されるが、この形態に限られない。
【０１１８】
他の形態としては、上拡散シート５ｃの端部５ｃ−１が固定部材６ｂ−１を介してテーパ面１０ｃに固定されるようにしてもよい。かかる場合、下拡散シート５ａおよびプリズムシート５ｂの端部５ａ−１，５ｂ−１は、受け面１３ｂ−３に配置されることになる。
【０１１９】
そして、上拡散シート５ｃが上記のようにしてフレーム１０ｂに固定されることで、下拡散シート５ａおよびプリズムシート５ｂが上拡散シート５ｃによって抑え込まれて、フレーム１０ｂに固定されることになる。
【０１２０】
かかる形態であっても、上述同様に、複数の光学シート５ａ，５ｂ，５ｃのフレーム１０ｂへの強固な固定を可能としつつ、湾曲したフレーム１０ｂの狭額縁化を図ることができる。
【０１２１】
また、変形例２に係る面状照明装置１ｂでは、下拡散シート５ａの一対の端部５ａ−１が固定部材６ｂ−１を介してテーパ面１０ｃにそれぞれ固定されるが、この形態に限られない。
【０１２２】
他の形態として、片側の端部５ａ−１のみが固定部材を介してテーパ面１０ｃに固定されるように構成してよい。かかる場合、プリズムシート５ｂおよび上拡散シート５ｃにおいても、片側の端部５ｂ−１，５ｃ−１のみが上記した下拡散シート５ａの片側の端部５ａ−１とそれぞれ重なる構成となる。
【０１２３】
次に、図１１、図１２、および図１３Ａ〜図１３Ｃを用いて、第３変形例に係る面状照明装置１ｃについて説明する。かかる面状照明装置１ｃでは、フレーム１０ｄの場所によって下拡散シート５ａ、プリズムシート５ｂ、および上拡散シート５ｃのいずれか一の光学シートが固定される。
【０１２４】
図１１は、変形例３に係る面状照明装置１ｃの外観の一例を示す平面図である。また、図１１には、フレーム１０ｄにおける固定部材６ｃ−１，６ｃ−２，６ｃ−３の配置位置を示している。かかる固定部材６ｃ−１，６ｃ−２，６ｃ−３が配置されるフレーム１０ｄの構造は、各々異なっている。
【０１２５】
図１２は、変形例３に係る光学シート５の配置関係を示す説明図である。具体的には、図１２には、フレーム１０ｄに固定部材６ｃ−１，６ｃ−２，６ｃ−３を介して固定される下拡散シート５ａ、プリズムシート５ｂ、および上拡散シート５ｃの配置関係を示している。また、図１２には、下拡散シート５ａ、プリズムシート５ｂ、および上拡散シート５ｃが固定部材６ｃ−１，６ｃ−２，６ｃ−３を介して固定されるフレーム１０ｄの構造も示している。
【０１２６】
なお、図１２では、下拡散シート５ａ、プリズムシート５ｂ、および上拡散シート５ｃの片側の端部５ａ−１，５ｂ−１，５ｃ−１について示しているが、下拡散シート５ａ、プリズムシート５ｂ、および上拡散シート５ｃの両端の構成は同じであるため、以下では、片側の端部５ａ−１，５ｂ−１，５ｃ−１について説明する。
【０１２７】
図１２に示すように、プリズムシート５ｂの端部５ｂ−１の角部近傍には、プリズムシート５ｂに対して水平方向に延びる凸部５ｂ−２がそれぞれ形成される。また、下拡散シート５ａの端部５ａ−１の角部近傍には、下拡散シート５ａに対して水平方向に延びる凸部５ａ−２がそれぞれ形成される。かかる凸部５ａ−２は、プリズムシート５ｂに形成された凸部５ｂ−２に対応する位置に形成される。また、凸部５ａ−２の幅ｄ３は、凸部５ｂ−２の幅ｄ４よりも狭く形成される。この例では、凸部５ａ−２が凸部５ｂ−２の片側半分の領域を覆うように形成される。
【０１２８】
そして、固定部材６ｃ−１は、上拡散シート５ｃの端部５ｃ−１におけるプリズムシート５ｂに形成された凸部５ｂ−２と重ならない位置に設けられる。また、固定部材６ｃ−２は、プリズムシート５ｂに形成された凸部５ｂ−２における下拡散シート５ａに形成された凸部５ａ−２と重ならない位置に設けられる。また、固定部材６ｃ−３は、下拡散シート５ａに形成された凸部５ａ−２の位置に設けられる。
【０１２９】
また、図１２に示すように、フレーム１０ｄの側壁１３ａ−３には、下拡散シート５ａに形成された凸部５ａ−２とプリズムシート５ｂに形成された凸部５ｂ−２とに対応する位置に、かかる凸部５ａ−２，５ｂ−２を収容する階段状の切欠き部１７が形成される。そして、固定部材６ｃ−３は、切欠き部１７において側壁１３ａ−３の上端面１３ｂ−４とは反対側の面である下端面１９に最も近い一段目の段差面１８ａに設けられる。また、固定部材６ｃ−２は、切欠き部１７において下端面１９から離れる方向かつ一段目の段差面１８ａから一段上がった二段目の段差面１８ｂに設けられる。かかる一段目の段差面１８ａおよび二段目の段差面１８ｂは、側壁１３ａ−３の上端面１３ｂ−４の一部を形成している。また、下端面１９から離れる方向かつ二段目の段差面１８ｂから一段上がった最上段に相当する面１３ｂ−５は、側壁１３ａ−３の上端面１３ｂ−４に含まれる。なお、固定部材６ｃ−１は、フレーム１０ｄにおいて切欠き部１７が形成されていない側壁１３ａ−３の上端面１３ｂ−４に設けられる。
【０１３０】
このように、フレーム１０ｄの側壁１３ａ−３に形成された切欠き部１７において、一段目の段差面１８ａに固定部材６ｃ−３を介して下拡散シート５ａに形成された凸部５ａ−２が固定され、二段目の段差面１８ｂに固定部材６ｃ−２を介してプリズムシート５ｂに形成された凸部５ｂ−２が固定される。
【０１３１】
次に、図１３Ａ〜図１３Ｃを用いて、第３変形例に係る面状照明装置１ｃにおいて、固定部材６ｃ−１、固定部材６ｃ−２、および固定部材６ｃ−３が配置されるフレーム１０ｄの各部分の構造について具体的に説明する。
【０１３２】
なお、図１３Ａ〜図１３Ｃに示す構成要素と同様の機能を有する構成要素については、図３に示す符号と同一の符号を付すことにより、その説明を省略する。また、図１３Ａ〜図１３Ｃは、フレーム１０ｄにおける一対の側壁１３ａ−３において、一方の側壁１３ａ−３側を示しているが、他方の側壁１３ａ−３側においても一方の側壁１３ａ−３側の構成と同様の構成にある。
【０１３３】
また、図１３Ａ〜図１３Ｃでは、下拡散シート５ａ、プリズムシート５ｂ、および上拡散シート５ｃの片側の端部５ａ−１，５ｂ−１，５ｃ−１について示しているが、下拡散シート５ａ、プリズムシート５ｂ、および上拡散シート５ｃの両端の構成は同じであるため、以下では、片側の端部５ａ−１，５ｂ−１，５ｃ−１について説明する。
【０１３４】
まず、図１３Ａを用いて、第３変形例に係る面状照明装置１ｃにおいて、固定部材６ｃ−１が設置されるフレーム１０ｄ部分の構造について説明する。図１３Ａは、図１１のＢ−Ｂ線断面模式図である。
【０１３５】
図１３Ａに示すように、かかるフレーム１０ｄ部分では、上拡散シート５ｃの端部５ｃ−１が固定部材６ｃ−１を介して側壁１３ａ−３の上端面１３ｂ−４に固定される。また、下拡散シート５ａの端部５ａ−１およびプリズムシート５ｂの端部５ｂ−１は、上拡散シート５ｃで抑えられた状態でフレーム１０ｄの内周側の上部に形成された切欠き部１５ａにそれぞれ配置される。なお、切欠き部１５ａに配置されたプリズムシート５ｂの面と固定部材６ｃ−１の面とは面一である。
【０１３６】
これにより、かかるフレーム１０ｄ部分では、固定部材６ｃ−１が側壁１３ａ−３の上端面１３ｂ−４に直接接着されているので、上拡散シート５ｃの端部５ｃ−１が強固に固定される。なお、かかる固定部材６ｃ−１は、本止めとして上拡散シート５ｃをフレーム１０ｄに接着固定する（図１１参照）。
【０１３７】
次に、図１３Ｂを用いて、第３変形例に係る面状照明装置１ｃにおいて、固定部材６ｃ−２が設置されるフレーム１０ｄ部分の構造について説明する。図１３Ｂは、図１１のＣ−Ｃ線断面模式図である。
【０１３８】
図１３Ｂに示すように、かかるフレーム１０ｄ部分では、プリズムシート５ｂの端部５ｂ−１に形成された凸部５ｂ−２が固定部材６ｃ−２を介して二段目の段差面１８ｂに固定される。また、下拡散シート５ａの端部５ａ−１は、プリズムシート５ｂで抑えられた状態でフレーム１０ｄの内周側の上部に形成された切欠き部１５ａに配置される。なお、切欠き部１５ａに配置された下拡散シート５ａの面と固定部材６ｃ−２の面とは面一である。また、上拡散シート５ｃの側壁１３ａ−３に位置する端部５ｃ−１は、プリズムシート５ｂの側壁１３ａ−３に位置する凸部５ｂ−２と重なる。
【０１３９】
これにより、かかるフレーム１０ｄ部分では、固定部材６ｃ−２が二段目の段差面１８ｂに直接接着されているので、プリズムシート５ｂの端部５ｂ−１に形成された凸部５ｂ−２が強固に固定される。なお、かかる固定部材６ｃ−２は、仮止めとしてプリズムシート５ｂをフレーム１０ｄに接着固定する（図１１参照）。
【０１４０】
次に、図１３Ｃを用いて、第３変形例に係る面状照明装置１ｃにおいて、固定部材６ｃ−３が設置されるフレーム１０ｄ部分の構造について説明する。図１３Ｃは、図１１のＤ−Ｄ線断面模式図である。
【０１４１】
図１３Ｃに示すように、かかるフレーム１０ｄ部分では、下拡散シート５ａの端部５ａ−１に形成された凸部５ａ−２が固定部材６ｃ−３を介して一段目の段差面１８ａに固定される。なお、導光板４の出射面４ａと固定部材６ｃ−３の面とは面一である。また、プリズムシート５ｂの側壁１３ａ−３に位置する凸部５ｂ−２および上拡散シート５ｃの側壁１３ａ−３に位置する端部５ｃ−１は、下拡散シート５ａの側壁１３ａ−３に位置する凸部５ａ−２とそれぞれ重なる。
【０１４２】
これにより、かかるフレーム１０ｄ部分では、固定部材６ｃ−３が一段目の段差面１８ａに直接接着されているので、下拡散シート５ａの端部５ａ−１に形成された凸部５ａ−２が強固に固定される。なお、かかる固定部材６ｃ−３は、仮止めとして下拡散シート５ａをフレーム１０ｄに接着固定する（図１１参照）。
【０１４３】
上述したように、変形例３に係る面状照明装置１ｃは、光学シート５ａの端部５ａ−１に形成された凸部５ａ−２が固定部材６ｃ−３を介して一段目の段差面１８ａに固定される。また、光学シート５ｂの端部５ｂ−１に形成された凸部５ｂ−２が固定部材６ｃ−２を介して二段目の段差面１８ｂに固定される。さらに、光学シート５ｃの端部５ｃ−１が固体部材６ｃ−１を介して側壁１３ａ−３の上端面１３ｂ−４に固定される。
【０１４４】
このため、変形例３に係る面状照明装置１ｃでは、湾曲したフレーム１０ｄへの複数の光学シート５の固定は、固定部材６ｃ−１，６ｃ−２，６ｃ−３によって可能となる。
【０１４５】
つまり、変形例３に係る面状照明装置１ｃでは、上拡散シート５ｃの端部５ｃ−１が本止めの固定部材６ｃ−１によって側壁１３ａ−３の上端面１３ｂ−４に強固に固定される。また、下拡散シート５ａおよびプリズムシート５ｂの端部５ａ−１，５ｂ−１に形成された凸部５ａ−２，５ｂ−２が仮止めの固定部材６ｃ−２，６ｃ−３によって、一段目の段差面１８ａおよび二段目の段差面１８ｂにそれぞれ強固に固定される。
【０１４６】
これにより、変形例３に係る面状照明装置１ｃでは、複数の光学シート５ａ，５ｂ，５ｃのフレーム１０ｄへの強固な固定を可能としつつ、湾曲したフレーム１０ｄの狭額縁化を図ることができる。
【０１４７】
また、変形例３に係る面状照明装置１ｃでは、出射面４ａから最も近い光学シート５ａから順に、光学シート５ａの端部５ａ−１に形成された凸部５ａ−２、光学シート５ｂの端部５ｂ−１に形成された凸部５ｂ−２、光学シート５ｃの端部５ｃ−１が固定部材６ｃ−１，６ｃ−２，６ｃ−３を介してフレーム１０ｄに固定される。
【０１４８】
つまり、変形例３に係る面状照明装置１ｃでは、組み立て時に光学シート５ａ，５ｂ，５ｃがずれるおそれがなく、また湾曲したフレーム１０ｄへの複数の光学シート５ａ，５ｂ，５ｃの固定が容易であり、装置の生産性が向上する。
【０１４９】
なお、変形例３に係る面状照明装置１ｃでは、仮止めの固定部材６ｃ−２，６ｃ−３が長辺方向（Ｘ軸方向）のフレーム１０ｄの両端付近の２箇所に配置されているが（図１１参照）、かかる２箇所の間にも仮止めの固定部材６ｃ−２，６ｃ−３を配置してもよい。また、かかる固定部材６ｃ−２，６ｃ−３が配置される位置に対応して、下拡散シート５ａおよびプリズムシート５ｂの端部５ａ−１，５ｂ−１に凸部５ａ−２，５ｂ−２がそれぞれ形成される。また、かかる凸部５ａ−２，５ｂ−２に対応する位置のフレーム１０ｄの側壁１３ａ−３には、凸部５ａ−２，５ｂ−２を収容する階段状の切欠き部１７が形成される。
【０１５０】
また、変形例３に係る面状照明装置１ｃでは、２箇所の切欠き部１７が形成される例を示したが、２箇所の切欠き部１７の形状は、図１２に示した例に限られない。例えば、２箇所の切欠き部１７の形状は、互いに近づく方向に階段を上がる形状であってもよいし、互いに離れる方向に階段を上がる形状であってもよい。すなわち、２箇所の二段目の段差面１８ｂは、２箇所の一段目の段差面１８ａに挟まれる位置に形成されてもよいし、２箇所の一段目の段差面１８ａは、２箇所の二段目の段差面１８ｂに挟まれる位置に形成されてもよい。
【０１５１】
かかる場合、組み立て時に下拡散シート５ａおよびプリズムシート５ｂがフレーム１０ｄから離れて浮くことを確実に防止することができる。
【０１５２】
なお、変形例３に係る面状照明装置１ｃでは、下拡散シート５ａおよびプリズムシート５ｂの一対の端部５ａ−１，５ｂ−１に形成された凸部５ａ−２，５ｂ−２が固定部材６ｃ−２，６ｃ−３を介して一段目の段差面１８ａおよび二段目の段差面１８ｂにそれぞれ固定され、上拡散シート５ｃの一対の端部５ｃ−１が固定部材６ｃ−１を介して側壁１３ａ−３の上端面１３ｂ−４にそれぞれ固定されるが、この形態に限られない。
【０１５３】
他の形態として、片側の端部５ａ−１，５ｂ−１に形成された凸部５ａ−２，５ｂ−２のみが固定部材６ｃ−２，６ｃ−３を介して一段目の段差面１８ａおよび二段目の段差面１８ｂに固定され、片側の端部５ｃ−１のみが固定部材６ｃ−１を介して側壁１３ａ−３の上端面１３ｂ−４に固定されるように構成してよい。
【０１５４】
また、上述の実施形態に係る面状照明装置１，１ａ，１ｂ，１ｃでは、第３遮光シート２２ａ，２２ｂ，２２ｂ−２を用いたが、これに限られない。他の形態として、第３遮光シート２２ａ，２２ｂ，２２ｂ−２を用いずに、上拡散シート５ｃの一対の端部５ｃ−１の部分に黒印刷を施すことで、かかる部分を遮光してもよい。
【０１５５】
また、上述の実施形態に係る面状照明装置１，１ａ，１ｂ，１ｃでは、導光板４の出射面４ａのエッジ部が湾曲している場合を例に挙げて説明したが、導光板４の出射面４ａの全面が湾曲している場合であっても上述と同様の構成を実施できる。
【０１５６】
また、上述の実施形態では、下拡散シート５ａ、プリズムシート５ｂ、上拡散シート５ｃを出射面４ａ側からこの順に積層した３つの光学シート５を用いたが、これに限られない。例えば、反射偏向シート、拡散シート、プリズムシートを出射面４ａ側からこの順に積層した３つの光学シートを用いてもよい。また、光学シートの数も３つに限られるものではない。
【０１５７】
なお、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【０１５８】
１、１ａ、１ｂ、１ｃ  面状照明装置
１０、１０ａ、１０ｂ、１０ｄ  フレーム
１０ｃ  テーパ面
１１、１１ａ  容器本体
１２、１２ａ  枠部材
１３  底部
１３ａ  側壁
１３ｂ  底面
１３ｂ−１  上端面
１５  切欠き部
２  ＬＥＤ
２０  第１遮光シート
２１  第２遮光シート
２２ａ、２２ｂ  第３遮光シート
３０  有効領域
４  導光板
４ａ  出射面
４ｂ  反射面
４０  反射シート
５ａ  下拡散シート
５ｂ  プリズムシート
５ｃ  上拡散シート
６ａ、６ｂ、６１ａ、６１ｂ、６ｂ−１、６ｂ−２、６ｂ−３  固定部材
【図１】
2018137156.tif 000003
【図２】
2018137156.tif 000004
【図３】
2018137156.tif 000005
【図４】
2018137156.tif 000006
【図５】
2018137156.tif 000007
【図６】
2018137156.tif 000008
【図７】
2018137156.tif 000009
【図８】
2018137156.tif 000010
【図９】
2018137156.tif 000011
【図１０】
2018137156.tif 000012
【図１１】
2018137156.tif 000013
【図１２】
2018137156.tif 000014
【図１３Ａ】
2018137156.tif 000015
【図１３Ｂ】
2018137156.tif 000016
【図１３Ｃ】
2018137156.tif 000017